(57)【要約】【課題】  両引き戸形式であって戸の幅が狭く縦長形状をなす引き戸において、全閉時に戸開方向の負荷を容易に支持できるエレベーターのドア装置を得る。【解決手段】  小形エレベーターにおいて出入口幅が狭いとき、一枚の第一引き戸７等の戸幅が狭く縦長形状となり、また吊り手９幅も狭くなって吊り手９幅の両端寄りの吊りローラ１１等の相互間隔も狭くなる。このため、戸閉時に引き戸７等の下端が悪戯によってこじ開けられたときに吊りローラ１１等による戸開方向負荷の支持が困難になる。  しかし、引き戸７等の戸閉時に係合体２６によって両引き戸相互を係合する。これにより、引き戸７等の下端のこじ開けによる隙間発生を阻止して、両引き戸の下端相互の隙間から異物が昇降路内に入ってかごの昇降が阻害される不具合の発生を未然に防止する。【選択図】        図１
2005225578.tif 000002
【特許請求の範囲】
【請求項１】
出入口の上縁部に設けられて長手が水平に配置された案内レールと、この案内レールに掛合されて上記出入口の幅方向に移動する吊り手と、上端が上記吊り手に連結されて上記案内レールに支持され、動作して上記出入口を開閉し戸閉時に上記出入口幅の中心線の一側に保持される第一引き戸及びこの第一引き戸とは反対方向に動作して戸閉時に上記出入口幅の中心線の他側に保持されて戸閉側の端部が上記第一引き戸の戸閉側の端部に近接して配置される第二引き戸の両者と、これら両者の一方に設けられて上記両者の戸開動作の初期に変位する作動体と、上記両者の一方に変位自在に装着されて上記両者の戸閉時に上記両者の他方に係合する係合体と、一端が上記作動体に他端は上記係合体に連結されて上記作動体の変位によって上記係合体を非係合位置に変位する連結手段とを備えたエレベーターのドア装置。
【請求項２】
係合体を、第一引き戸及び第二引き戸の両者の戸閉時に上記両者の他方に吸着して係合する磁石を有するものとしたことを特徴とする請求項１記載のエレベーターのドア装置。
【発明の詳細な説明】
【技術分野】
【０００１】
この発明は、両引き戸形式、すなわち少なくとも二枚の引き戸が互いに反対方向に開閉動作して戸閉時に出入口の中心線の両側にそれぞれ配置される形式のエレベーターのドア装置に関する。
【背景技術】
【０００２】
図３及び図４は、従来のエレベーターのドア装置を示す図で、図３は正面図、図４は図３の要部縦断側面図である。図において、出入口１の上縁部にハンガーケース２が設けられて長手が水平に配置される。そして、ハンガーケース２の奥側に低速戸案内レール３が設けられて長手が水平に配置され、また低速戸案内レール３の前側に空隙を形成して高速戸案内レール４が設けられて長手が水平に配置される。
【０００３】
そして、引き戸からなる第一低速戸５及び第二低速戸６がハンガーケース２の奥側寄り、すなわち出入口１の縁部を構成する枠寄りに配置される。なお、第一低速戸５及び第二低速戸６は出入口１の幅方向に沿い互いに反対方向に動作して出入口１を開閉し戸閉時に出入口１幅の縁部寄りに配置される。
【０００４】
また、引き戸からなる第一高速戸７及び第二高速戸８が第一低速戸５等の前側に配置される。なお、第一高速戸７及び第二高速戸８は出入口１の幅方向に沿い互いに反対方向に動作して出入口１を開閉し戸閉時に出入口１幅の中心寄りに配置される。そして、高速戸吊り手９が第一高速戸７及び第二高速戸８の上端に装着されて、高速戸吊り手９の吊り手板１０が第一高速戸７等の戸幅に対応して形成され高速戸案内レール４に対応する位置に配置される。
【０００５】
また、吊り手板１０幅の両端寄りにそれぞれ枢着されて高速戸案内レール４の上縁を転動する吊りローラ１１及び吊り手板１０幅の両端寄りにそれぞれ枢着されて高速戸案内レール４の下縁に対向した外れ止めローラ１２が設けられる。そして、低速戸吊り手１３が第一低速戸５及び第二低速戸６の上端にそれぞれ装着されて、低速戸吊り手１３の吊り手板１４が低速戸案内レール３に対応する位置に配置される。
【０００６】
また、吊り手板１４幅の両端寄りにそれぞれ枢着されて低速戸案内レール３の上縁を転動する吊りローラ１１及び吊り手板１４幅の両端寄りにそれぞれ枢着されて低速戸案内レール３の下縁に対向した外れ止めローラ１２が設けられる。また、ハンガーケース２の長手の両端寄りにそれぞれ枢着された案内車１５及び無端状に形成されて両方の案内車１５に巻掛けられたワイヤロープ１６からなる伝動機構１７が設けられる。
【０００７】
そして、ワイヤロープ１６の一側に第一高速戸７が連結され、ワイヤロープ１６の他側に第二高速戸８が連結される。これにより、第一高速戸７及び第二高速戸８は伝動機構１７によって互いに反対方向に開閉動作する。また、第一低速戸５及び第二低速戸６にそれぞれ枢着された案内車１８並びに一端がハンガーケース２に固定され他端は第一高速戸７及び第二高速戸８にそれぞれ連結されて案内車１８に巻掛けられたワイヤロープ１９からなり２：１ローピングを形成する周知の２：１伝動手段２０が設けられる。
【０００８】
そして、２：１伝動手段２０によって第一高速戸７及び第二高速戸８の開閉動作が１／２の速度によって第一低速戸５及び第二低速戸６に伝動される。また、出入口１の下縁部を構成する敷居２１が設けられ、図示が省略してあるが敷居２１に凹設された案内溝に、第一低速戸５、第二低速戸６、第一高速戸７及び第二高速戸８それぞれの下端に設けられた戸の脚が摺動自在に嵌合される。これによって、それぞれの戸の下端が案内される。
【０００９】
そして、前端側が下降した係止金具２２がハンガーケース２に固定される。また、係止片２３の一端が第二高速戸８の高速戸吊り手９に枢着され、他端に形成された係止鉤部２４（後述する図１参照）が係止金具２２の係止穴に上側から掛合し、また係止片２３にドア駆動装置の駆動板（図示しない）に係合する駆動金具２５が設けられる。
【００１０】
上記のような四枚両引き戸形式を構成した従来のエレベーターのドア装置において、戸閉時に第一高速戸７及び第二高速戸８が出入口１幅の中心寄りに配置され、また第一低速戸５及び第二低速戸６は出入口１幅の縁部寄りに配置されて図３に示すように出入口１が閉塞される。そして、前述の駆動装置の駆動板が駆動金具２５に係合して駆動装置が戸開駆動動作すると、このときの初期動作によって駆動金具２５が変位し、この駆動金具２５の変位を介して係止片２３が図３において時計方向に回動する。
【００１１】
これにより、係止金具２２に対して係止片２３の係止鉤部２４が上昇して係止金具２２との掛合が解消する。次いで、駆動装置の戸開駆動が継続することによって第二高速戸８が図３において右方に戸開し、また伝動機構２０によって第一高速戸７は図３において左方に戸開する。また、第二高速戸８の戸開動作によって２：１伝動手段２０を介して第二低速戸６が図３において右方に戸開し、また、第一高速戸７の戸開動作によって２：１伝動手段２０を介して第一低速戸５が図３において左方に戸開する。
【００１２】
そして、第一低速戸５、第二低速戸６、第一高速戸７及び第二高速戸８の戸開時に、高速戸吊り手９は高速戸案内レール４に、低速戸吊り手１３は低速戸案内レール３にそれぞれ案内されて移動する。（四枚両引き戸形式に類似した二枚両引き戸形式のエレベーターのドア装置として、例えば特許文献１参照。）
【００１３】
【特許文献１】特開平１１−２９２４３２号公報（要約）
【発明の開示】
【発明が解決しようとする課題】
【００１４】
上記のような四枚両引き戸形式によるエレベーターのドア装置を適用する場合に、例えば一戸建て住宅等に設置される小形エレベーターであって出入口幅が狭いとき、すなわち出入口高さが１９０cm、出入口幅が８０cmのときには、一枚の引き戸は高さが１９２cm程度、戸の幅が２２cm程度の縦長形状になる。また、吊り手の吊り手板幅も２２cm程度となり吊り手板幅の両端寄りにそれぞれ配置される吊りローラの相互間隔、外れ止めローラの相互間隔が狭くなる。
【００１５】
このため、引き戸の下端部に大きい開閉動作方向の負荷が作用したときに、吊りローラ、外れ止めローラによる開閉動作方向負荷の支持が困難になる。したがって、引き戸が全閉し互いに端部を接して配置された状態で、引き戸の下端が悪戯によってこじ開けられたときに、全閉した引き戸の相互間の下端に図３に示す隙間Ａが発生する。そして、隙間Ａから異物がエレベーター昇降路内に入ってかごの昇降障害が発生するという問題点があった。
【００１６】
この発明は、かかる問題点を解消するためになされたものであり、両引き戸形式であって戸の幅が狭く縦長形状をなす引き戸において、全閉時に戸開方向の負荷を支持できるエレベーターのドア装置を得ることを目的とする。
【課題を解決するための手段】
【００１７】
この発明に係るエレベーターのドア装置においては、出入口の上縁部に設けられて長手が水平に配置された案内レールと、この案内レールに掛合されて出入口の幅方向に移動する吊り手と、上端が吊り手に連結されて案内レールに支持され、動作して出入口を開閉し戸閉時に出入口幅の中心線の一側に保持される第一引き戸及びこの第一引き戸とは反対方向に動作して戸閉時に出入口幅の中心線の他側に保持されて戸閉側の端部が第一引き戸の戸閉側の端部に近接して配置される第二引き戸の両者と、これら両者の一方に設けられて上記両者の戸開動作の初期に変位する作動体と、上記両者の一方に変位自在に装着されて、上記両者の戸閉時に上記両者の他方に係合する係合体と、一端が作動体に他端は係合体に連結されて作動体の変位によって係合体を非係合位置に変位する連結手段とが設けられる。
【発明の効果】
【００１８】
この発明によるエレベーターのドア装置において次に述べる効果を得ることができる。すなわち、例えば一戸建て住宅等に設置される小形エレベーターにおいて出入口幅が狭いとき、第一引き戸等の一枚の引き戸は戸の幅が狭く縦長形状となり、また吊り手の吊り手板幅も狭くなって吊り手板幅の両端寄りにそれぞれ配置される吊りローラの相互間隔、外れ止めローラの相互間隔も狭くなる。このため、第一引き戸等の下端部に大きい開閉動作方向の負荷が作用したときに、吊りローラ、外れ止めローラによる開閉動作方向負荷の支持が困難になる。
【００１９】
しかし、上記両者の戸閉により端部が互いに接近して配置されたときに、上記両者の一方の下端に設けられた係合体が上記両者の他方の下端に係合する。これによって、上記両者の下端が悪戯によってこじ開けられたときに、戸閉した上記両者の下端部相互間における隙間の発生を阻止することができる。このため、上記両者の下端相互の隙間から異物がエレベーター昇降路内に入ってかごの昇降が阻害される不具合の発生を未然に防止する効果がある。
【発明を実施するための最良の形態】
【００２０】
実施の形態１．
図１は、この発明の実施の形態を示す図で、前述の図３における出入口幅の中心部に相当する箇所を拡大して示す図である。なお、図１の他は前述の図３及び図４と同様にエレベーターのドア装置が構成されている。図において、図３及び図４と同符号は相当部分を示し、出入口１の上縁部にハンガーケース２が設けられて長手が水平に配置される。そして、ハンガーケース２に案内レール４が設けられて長手が水平に配置され。
【００２１】
そして、第一引き戸７及び第二引き戸８が配置されて、詳細は後述するが出入口１の幅方向に沿い互いに反対方向に動作して出入口１を開閉し、戸閉時に出入口１幅の中心線の両側にそれぞれ配置される。そして、吊り手９が第一引き戸７及び第二引き戸８の上端に装着されて、吊り手９の吊り手板１０が第一引き戸７等の戸幅に対応して形成され案内レール４に対応する位置に配置される。
【００２２】
また、吊り手板１０幅の両端寄りにそれぞれ枢着されて高速戸案内レール４の上縁を転動する吊りローラ１１及び吊り手板１０幅の両端寄りにそれぞれ枢着されて案内レール４の下縁に対向した外れ止めローラ１２が設けられる。また、出入口１の下縁部を構成する敷居２１が設けられ、図示が省略してあるが敷居２１に凹設された案内溝に、第一引き戸７及び第二引き戸８それぞれの下端に設けられた戸の脚が摺動自在に嵌合される。
【００２３】
そして、敷居２１に凹設された案内溝と戸の脚の係合によって、それぞれの戸の下端が案内される。また、前述の係止片からなる作動体２３の一端が第二引き戸８の吊り手９に枢着され、他端に形成された係止鉤部２４が前述の係止金具２２の係止穴に上側から掛合する。また、作動体２３にドア駆動装置の駆動板（図示しない）に係合する駆動金具２５が設けられる。また、第二引き戸８の下端における第一引き戸７との対向縁部寄りに係合体２６が設けられる。
【００２４】
そして、係合体２６は長手中間部が第二引き戸８に枢着され、長手の一端に第一引き戸７下端の係合部に係合する係合鉤部２７が設けられる。また、一端が係合体２６の長手他端に、他端が第二引き戸８にそれぞれ連結された引っ張りコイルばねからなる付勢体２８が設けられる。そして、ワイヤロープ等の可撓条体からなる連結体２９の一端が作動体２３の係止鉤部２４寄りに連結され、また他端は係合体２６の付勢体２８寄りに連結されて作動体２３の動作が係合体２６に伝達される。
【００２５】
上記のように構成されたエレベーターのドア装置において、戸閉時に第一引き戸７及び第二引き戸８の両者が出入口１幅の中心線の両側にそれぞれ配置される。そして、上記両者の戸閉時に作動体２３の係止鉤部２４が、係止金具２２の係止穴に掛合して上記両者が鎖錠されて戸開方向移動が阻止される。また、係合体２６は連結体２９によって作動体２３に連結され、また係合体２６は付勢体２８によって図１において時計方向に付勢されて係合鉤部２７が上昇位置、すなわち係合位置に配置される。
【００２６】
これにより、上記両者の戸閉時に係合鉤部２７が第一引き戸７下端の係合部に係合して、上記両者それぞれの戸開方向移動が阻止される。
そして、前述の駆動装置の駆動板が駆動金具２５に係合して駆動装置が戸開駆動動作すると、このときの初期動作によって駆動金具２５の変位を介して作動体２３が図１において時計方向に回動する。
【００２７】
これにより、前述の係止金具２２に対して作動体２３の係止鉤部２４が上昇して係止金具２２との掛合が解消する。また、作動体２３の回動変位が連結体２９を介して係合体２６に伝達されて係合体２６は付勢体２８の付勢力に抗して図１において反時計方向に回動する。これによって、係合鉤部２７が下降位置、すなわち非係合位置に変位して第一引き戸７との係合が解除される。
【００２８】
次いで、駆動装置の戸開駆動が継続することによって第二引き戸８が図１において右方に戸開し、また前述の伝動機構２０によって第一引き戸７は図１において左方に戸開する。そして、第一引き戸７及び第二引き戸８の両者の戸開時に、吊り手９は案内レール４にそれぞれ案内されて移動する。
【００２９】
以上説明したエレベーターのドア装置において、例えば一戸建て住宅等に設置される小形エレベーターであって出入口幅が狭いとき、第一引き戸７等の一枚の引き戸は戸の幅が狭く縦長形状となり、また吊り手９の吊り手板１０も狭くなって吊り手板１０幅の両端寄りにそれぞれ配置される吊りローラ１１の相互間隔、外れ止めローラ１２の相互間隔も狭くなる。
【００３０】
このため、第一引き戸７等の下端部に大きい開閉動作方向の負荷が作用したときに、吊りローラ１１、外れ止めローラ１２による開閉動作方向負荷の支持が困難になる。しかし、上記両者の戸閉時に係合体２６の係合鉤部２７が第一引き戸７下端の係合部に係合して、上記両者それぞれの戸開方向移動が阻止される。
【００３１】
したがって、上記両者が戸閉し互いに端部を接して配置された状態で、上記両者の下端が悪戯によってこじ開けられたときに、戸閉した上記両者の相互間における下端に前述の図３に示す隙間Ａの発生を阻止することができる。このため、隙間Ａから異物がエレベーター昇降路内に入ってかごの昇降が阻害される不具合の発生を未然に防止することができる。
【００３２】
実施の形態２．
図２は、この発明の他の実施の形態の一例を示す図で、前述の図１の下部に相当する図である。なお、図２の他は前述の図３及び図４、また図１と同様にエレベーターのドア装置が構成されている。図において、図１と同符号は相当部分を示し、前述の係合体２６における係合体２６の係合鉤部２７位置に磁石３０が設けられて、第一引き戸７及び第二引き戸８の両者の戸閉時に第一引き戸７に吸着して係合する。
【００３３】
上記のように構成されたエレベーターのドア装置においても、前述の図１の実施の形態と同様に上記両者が開閉動作する。そして、上記両者の戸閉時に第二引き戸８に設けられた係合体２６の磁石３０が第一引き戸７に吸着して係合し、悪戯によってこじ開けられたときの上記両者それぞれの戸開方向移動が阻止される。
【００３４】
また、上記両者の戸開時における駆動装置の戸開初期動作による駆動金具２５の変位、作動体２３の変位、連結体２９の動作を介して係合体２６が回動する。これによって、係合体２６の磁石３０による第一引き戸７の吸着係合が解除されて上記両者が戸開する。したがって、詳細な説明を省略するが図２の実施の形態においても図１の実施の形態と同様な作用が得られる。
【図面の簡単な説明】
【００３５】
【図１】この発明の実施の形態１を示す図で、後述する図３における出入口幅の中心部に相当する箇所を拡大して示す図。
【図２】この発明の実施の形態２を示す図で、前述の図１の下部に相当する図。
【図３】従来のエレベーターのドア装置を示す正面図。
【図４】図３の要部縦断側面図。
【符号の説明】
【００３６】
１  出入口、４  案内レール、７  第一引き戸、８  第二引き戸、９  吊り手、２３
作動体、２６  係合体、２９  連結体、３０  磁石。
【図１】
2005225578.tif 000003
【図２】
2005225578.tif 000004
【図３】
2005225578.tif 000005
【図４】
2005225578.tif 000006